(57)【要約】エアゾール式の噴出器で用いる容器を往復ポンプ式の噴出器で用いる容器として使用することができるようにする。容器（２０）の口部に往復ポンプ（３０）を取り付けて構成する。そして、噴射ボタン（３８）を押し下げて往復ポンプのピストン（３５）を押し込んで圧力室（ｂ）内の圧力を上昇し、ステム（３７）に対してピストンを押し下げて圧力室内の内容物を噴出通路（３７ａ）を通して噴射ボタン内に入れ、その噴口（３９ａ）から吐出する一方、噴射ボタンから手を離し、ピストンの押し込みを解除して圧力室内の圧力を解除して圧力室内の圧力を低下し、ピストンを押し上げて入口弁（３６）を開き、容器内の内容物を圧力室内に吸い上げる。そのような往復ポンプ式噴出器において、往復ポンプをアダプタ（２２）に、例えばねじ付けで取り付け、そのアダプタの周縁を容器の口部のカール部（２１）に、例えばはめ付けて取り付ける。
2003103849.tif 000002
【特許請求の範囲】
【請求項１】
容器の口部に往復ポンプを取り付けて構成し、その往復ポンプのピストンを押し込んで圧力室内の圧力を上昇し、その圧力室内の内容物を吐出する一方、前記ピストンの押し込みを解除して前記圧力室内の圧力を低下し、入口弁を開いて前記容器内の内容物を前記圧力室内に吸い上げる往復ポンプ式噴出器において、
前記往復ポンプをアダプタに取り付け、そのアダプタの周縁を前記容器の口部に取り付けることを特徴とする、往復ポンプ式噴出器。
【請求項２】
前記往復ポンプを前記アダプタにねじ付けて取り付けることを特徴とする、請求項１に記載の往復ポンプ式噴出器。
【請求項３】
前記容器を金属製とすることを特徴とする、請求項１または２に記載の往復ポンプ式噴出器。
【請求項４】
噴射ボタンを押し下げてステムを移動し、ピストンを押し込んで前記圧力室内の内容物を前記ステムを通して前記噴射ボタンの噴口から吐出する一方、前記噴射ボタンの押し下げを解除したとき前記ステムを戻し、前記ピストンの押し込みを解除して前記容器内の内容物を前記圧力室内に吸い上げることを特徴とする、請求項１ないし３のいずれか１に記載の往復ポンプ式噴出器。
【発明の詳細な説明】
技術分野
この発明は、容器の口部に往復ポンプを取り付けて構成し、外部操作でその往復ポンプのピストンを押し込んで圧力室内の圧力を上昇し、それにより圧力室の出口弁を開いて圧力室内の内容物を外部へと吐出する一方、ピストンの押し込みを解除して圧力室内の圧力を低下し、圧力室の入口弁を開いて容器内の内容物を圧力室内に吸い上げる往復ポンプ式噴出器に関する。
背景技術
従来、化粧用等の噴出器には、第３図に示すような往復ポンプ式のものと、第４図に示すようなエアゾール式のものとがあった。
往復ポンプ式の噴出器では、例えば第３図に示すように、ボトル状の容器Ａの口部１にねじキャップ２を被せてねじ付け、容器Ａに往復ポンプＢを取り付ける構成としていた。
そして、使用時は、噴射ボタン３を手で押し下げることにより、往復ポンプＢの、ステムと一体のピストン４を押し込んで圧力室ａ内の圧力を上昇し、圧力室ａの出口弁５を開いて圧力室ａ内の内容物を連通孔４ａからピストン４内の吐出路４ｂに入れ、噴射ボタン３に取り付けるノズル部材６の噴口６ａから外部へと吐出していた。
使用後は、噴射ボタン３から手を離してピストン４の押し込みを解除し、スプリング７の付勢力でピストン４を押し上げて圧力室ａ内の圧力を低下し、出口弁５を閉じるとともに、圧力室ａのボール状の入口弁８を開いて容器Ａ内の内容物を圧力室ａ内に吸い上げていた。
一方、エアゾール式の噴出器では、例えば第４図に示すように、缶状の容器Ｃの口部の口縁１１にマウンテンキャップ１２の周縁を巻き締め、そのマウンテンキャップ１２を介して容器Ｃの口部にバルブユニットＤを取り付ける構成としていた。
そして、使用時は、不図示の噴射ボタンを手で押し下げることにより、バルブユニットＤのステム１３を押し込んでステムラバー１４を変形してステム１３の連通孔１３ａを開き、容器Ｃ内の内容物を、その内容物とともに容器Ｃ内に収納する噴射剤の圧力により連通孔１３ａからステム１３の吐出路１３ｂに入れ、不図示の噴射ボタンに取り付けるノズル部材の噴口から吐出していた。
使用後は、噴射ボタンから手を離してステム１３の押し込みを解除することにより、スプリング１５の付勢力でステム１３を押し上げてステムラバー１４の変形を解消し、連通孔１３ａを塞いで噴口からの吐出を停止していた。
よって、従来の往復ポンプ式の噴出器では、安価につくるために、容器Ａをプラスチック製とするとともに、往復ポンプの取り外しを簡単として容器内の内容物の詰め換え等を容易とすべく、容器Ａに往復ポンプＢをねじ付けて取り付けていた。
一方、エアゾール式の噴出器では、容器Ｃ内に内容物とともに噴射剤を収納するから、高い内圧に耐え得るように、容器Ｃを、アルミニウムやブリキ等の金属製などとするとともに、容易にあけることができないように、容器Ｃの口部の口縁１１にマウンテンキャップ１２の周縁を巻き締めて取り付けていた。
このため、往復ポンプ式の噴出器とエアゾール式の噴出器とでは、異なる容器を用いなければならず、部品点数が増加して例えば部品管理等の手間が増え、コスト高となる問題があった。
そこで、この発明の第１の目的は、エアゾール式の噴出器で用いる容器を往復ポンプ式の噴出器で用いる容器としても利用できるようにすることにある。
この発明の第２の目的は、往復ポンプの取り付けを簡単とし、例えば容器内の内容物の詰め換え等を容易とすることにある。
この発明の第３の目的は、これまでのプラスチック製の容器と趣きの異なる往復ポンプ式噴出器を提供することにある。
この発明の第４の目的は、吐出操作を簡単とすることにある。
発明の開示
この発明は、容器の口部に往復ポンプを取り付けて構成し、その往復ポンプのピストンを押し込んで圧力室内の圧力を上昇し、その圧力室内の内容物を吐出する一方、ピストンの押し込みを解除して圧力室内の圧力を低下し、入口弁を開いて容器内の内容物を圧力室内に吸い上げる往復ポンプ式噴出器において、往復ポンプをアダプタに取り付け、そのアダプタの周縁を容器の口部に、例えばはめ付けて取り付ける、ことを特徴とする。そして、往復ポンプを直接容器に取り付けるのではなく、アダプタを介して容器に取り付けるようにする。このようにすると、容器の口部形状に合わせたアダプタを用いることにより、エアゾール式噴出器で用いる容器を往復ポンプ式噴出器で用いる容器としても利用することができる。また、環境対策上からエアゾール式噴出器が少なくなってきているが、エアゾール式噴出器で用いる容器を有効利用することができる。
上述の発明のような往復ポンプ式噴出器において、往復ポンプをアダプタにねじ付けて取り付けるとよい。このようにすると、アダプタに対する往復ポンプの取り付け取り外しを比較的簡単とし、例えば容器内の内容物の詰め換え等を容易とすることができる。
上述の発明のような往復ポンプ式噴出器において、容器を金属製とするとよい。このようにすると、これまでのプラスチック製の容器と趣きの異なる往復ポンプ式噴出器を提供することができる。
上述の発明のような往復ポンプ式噴出器において、噴射ボタンを押し下げてステムを移動し、ピストンを押し込んで圧力室内の内容物をステムを通して噴射ボタンの噴口から吐出する一方、噴射ボタンの押し下げを解除したときステムを戻し、ピストンの押し込みを解除して容器内の内容物を圧力室内に吸い上げるようにするとよい。このようにすると、吐出操作を簡単とすることができる。
発明を実施するための最良の形態
以下、図面を参照しつつ、この発明の実施の形態につき説明する。
第１図には、不使用状態におけるこの発明による往復ポンプ式噴出器の外観側面を、キャップを断面にして示す。第２図には、その縦断面を示す。
図中符号２０は、容器である。容器２０は、プラスチックでもよいが、図示例ではアルミニウムやブリキ等の金属材料を用いて缶状につくる。容器２０の口部の口縁には、外向きに折り返して丸くカールしたカール部２１を形成する。容器２０の口部には、周縁をカール部２１にはめ付けてプラスチック製のアダプタ２２を取り付ける。
アダプタ２２は、中央に、外周に雄ねじを有する円筒部２３を立てる。その円筒部２３のまわりには、上向きに円周溝２４を設ける。その円周溝２４のまわりには、外周に外向き突部２５ａを有する下向きの拡径筒部２５を形成する。その拡径筒部２５のまわりには、下向きの環状溝２６を設ける。その環状溝２６のまわりには、外周に上向き段部２７ａと外向き係合部２７ｂを有する鍔部２７を形成する。
そして、環状溝２６内にパッキン２８を入れてから外向き突部２５ａを乗り越えてカール部２１を環状溝２６内に入れ、容器２０の口部にアダプタ２２をはめ付ける。
アダプタ２２には、円筒部２３にねじキャップ３１を被せてねじキャップ３１内周の雌ねじを雄ねじにねじ付け、ねじキャップ３１の下部を円周溝２４に入れて往復ポンプ３０を取り付ける。これにより、往復ポンプ３０をアダプタ２２にねじ付けて容器２０の口部に取り付ける。
ねじキャップ３１は、外周にローレット溝３１ａを有し、内部にシリンダ３２を収納する。シリンダ３２の下端には、先端を容器２０内の底部近くまでのばして吸上げ管３３の基端を圧入する。シリンダ３２内には、スプリング３４を入れて後、出口弁を兼ねるピストン３５を上下に移動自在に収納する。ピストン３５には、内外を連通する連通孔３５ａをあけるとともに、その連通孔３５ａを開閉する入口弁３６を取り付ける。入口弁３６は、弾性体でつくる。
ピストン３５の上部は、管状のステム３７内に下方から挿入する。ステム３７は、下部をシリンダ３２内に収納し、シリンダ３２とピストン３５とステム３７とで区画して圧力室ｂを形成する。ステム３７には、中心に噴出通路３７ａを設け、上端に噴射ボタン３８を取り付ける。噴射ボタン３８には、噴口３９ａを有するノズル部材３９を取り付け、その噴口３９ａを噴出通路３７ａに連通する。
そして、往復ポンプ３０を被ってキャップ４０を被せ、下縁を上向き段部２７ａ上に載せて外向き係合部２７ｂに係合し、キャップ４０をアダプタ２２に取り付ける。
いま、この噴出器を使用するときは、キャップ４０を取り外し、噴口３９ａを目的部位に向けて噴射ボタン３８を押し下げる。すると、ステム３７を押し込んで、往復ポンプ３０のピストン３５をスプリング３４に抗してともに移動し、入口弁３６を閉じた状態で圧力室ｂの圧力を上昇し、やがてステム３７に対して圧力室ｂの出口弁であるピストン３５を押し下げて圧力室ｂ内の内容物を噴出通路３７ａに入れ、ステム３７内を通して噴口３９ａから噴出して外部へと吐出し、容器内容物を目的部位に吹き付けることができる。
手を離して噴射ボタン３８の押し下げを解除すると、スプリング３４の付勢力でピストン３５、ステム３７、噴射ボタン３８を元の位置に復帰する。そして、ピストン３５の押し込みを解除して圧力室ｂ内の圧力を低くし、入口弁３６を自身の弾性に抗して開き、容器２０内の内容物を吸上げ管３３を介してシリンダ３２内に吸い上げ、連通孔３５ａを通して圧力室ｂ内に入れることができる。
なお、上述した図示例では、往復ポンプ３０をアダプタ２２にねじ付けて取り付けたが、ねじ付けに限らず、はめ付け等のいわゆる打栓で取り付けるようにしてもよい。また、アダプタ２２の周縁を容器２０の口部にはめ付けて取り付けたが、同様にはめ付けに限らず、巻き締め等のその他の方法により取り付けるようにしてもよい。
産業上の利用の可能性
この発明は、化粧用・消毒用・洗浄用・薬用・塗装用など、往復ポンプを手動操作して容器内の内容物をいったん往復ポンプの圧力室内に吸い上げてから外部へと吐出する往復ポンプ式噴出器に適用することができる。
【図面の簡単な説明】
第１図は、キャップを断面にして示す、不使用状態におけるこの発明による往復ポンプ式噴出器の外観側面図である。
第２図は、その縦断面図である。
第３図は、従来の往復ポンプ式の噴出器の部分縦断面図である。
第４図は、従来のエアゾール式の噴出器の部分縦断面図である。
【図１】
2003103849.tif 000003
【図２】
2003103849.tif 000004
【図３】
2003103849.tif 000005
【図４】
2003103849.tif 000006
【国際調査報告】
2003103849.tif 000007
2003103849.tif 000008